(57)【要約】      （修正有）【課題】電気設備を不使用の時、切換え部品を切断状態となすことにより、電源端と電気設備との線路を遮断し、残留電圧の導通を防止し、これにより省電力及び安全保護の目的を達成する電源プラグを提供する。【解決手段】電源プラグは、プラグ本体１の適宜位置に、導通或いは切断の選択に用いられると共に該プラグ本体より突出する切換え部品１３と、ヒューズとが設けられ、該プラグ本体の導線が該ヒューズ及び該切換え部品に接続された後に、さらに端部が導電片１１に接続される。該プラグ本体が取り付けられた電気設備が不使用の時、該切換え部品を切断状態となすことにより、電源端と電気設備との間を切断でき、残留電圧の導通を防止し、これにより切断及び安全保護の目的を達成する。【選択図】図１
0003157518.tif 000002
【実用新案登録請求の範囲】
【請求項１】
前端にコンセントに挿入される導電片が設けられ、後端に電気設備に接続される電源コードが設けられたプラグ本体を具えた電源プラグにおいて、
該プラグ本体の適宜位置に、該プラグ本体より突出して導通或いは切断の選択に用いられる切換え部品が設けられ、該プラグ本体に接続された該電源コードに設けられた導線が該切換え部品に接続された後に、該切換え部品を介して該導電片に接続され、該プラグ本体が接続された該電気設備を使用しない時に、該切換え部品が使用者により選択的に切断の状態とされることにより、電源端と該電気設備の線路が完全に切断され、残留電圧の導通を防止して、節電と安全保護を達成することを特徴とする、電源プラグ。
【請求項２】
請求項１記載の電源プラグにおいて、該切換え部品がプッシュスイッチ或いはスライドスイッチとされたことを特徴とする、電源プラグ。
【請求項３】
請求項１記載の電源プラグにおいて、該切換え部品がランプ付きスイッチとされて、導通或いは切断状態を表示することを特徴とする、電源プラグ。
【請求項４】
前端にコンセントに挿入される導電片が設けられ、後端に電気設備に接続される電源コードが設けられたプラグ本体を具えた電源プラグにおいて、
該プラグ本体の適宜位置に、該プラグ本体より突出して導通或いは切断の選択に用いられる切換え部品と、該切換え部品の後方に位置するヒューズが設けられ、該プラグ本体に接続された電源コードに設けられた導線が該ヒューズに接続された後に、さらに該切換え部品に接続され、該切換え部品を介して該導電片に接続され、該プラグ本体が接続された該電気設備を使用しない時に、該切換え部品が使用者により選択的に切断の状態とされることにより、電源端と該電気設備の線路が完全に切断され、残留電圧の導通を防止して、節電し、該電気設備使用中にオーバーロードが発生した時に、該ヒューズがアンペア数の過高により溶断されて、安全保護を達成することを特徴とする、電源プラグ。
【請求項５】
請求項４記載の電源プラグにおいて、該切換え部品がプッシュスイッチ或いはスライドスイッチとされたことを特徴とする、電源プラグ。
【請求項６】
請求項４記載の電源プラグにおいて、該切換え部品がランプ付きスイッチとされて、導通或いは切断状態を表示することを特徴とする、電源プラグ。
【請求項７】
請求項４記載の電源プラグにおいて、該ヒューズがヒューズホルダに設置されたことを特徴とする、電源プラグ。
【考案の詳細な説明】
【技術分野】
【０００１】
本考案は一種の電源プラグに係り、特に、電気設備を不使用の時、該切換え部品を切断状態となすことにより、電源端と電気設備との線路を遮断し、残留電圧の導通を防止し、これにより省電力及び安全保護の目的を達成する電源プラグの構造に関する。
【背景技術】
【０００２】
一般に商用電源（１１０Ｖ、２２０Ｖ等）を使用する電気設備は、通常は導線に接続されたプラグを有し、使用時には、プラグをコンセントに差し込んで電圧を電気設備に伝送する。電気設備を使用しない時は、通常、電気設備に設けられたスイッチで電源オフするが、プラグはコンセントに差し込まれたままであるために、わずかな電圧が電源端と電気設備の間を流れ、エネルギー資源の浪費を形成する。しかし、もし、毎回電気設備を使用した後にプラグをコンセントから抜くとなると、使用上、面倒であるのみならず安全でないため、有効な改善が待たれている。出願人は以上を鑑み、電気設備不使用時に、エネルギー資源を節約できるようにするため、この業界における長年の経験に加え、不断に研究と実験を行ない、一種のプラグ構造を開発した。
【考案の概要】
【考案が解決しようとする課題】
【０００３】
本考案は一種の電源プラグを提供することを課題とし、それは、電気設備を不使用の時、使用者操作によりオフ状態を構成して、電源端と電気設備との間を切断でき、残留電圧の導通を防止し、これにより切断及び安全保護の目的を達成できるものとする。
【課題を解決するための手段】
【０００４】
本考案の電源プラグは、プラグ本体の適宜位置に、導通或いは切断の選択に用いられると共に該プラグ本体より突出する切換え部品と、ヒューズとが設けられ、該プラグ本体の導線が該ヒューズ及び該切換え部品に接続された後に、さらに端部が導電片に接続される。該プラグ本体が取り付けられた電気設備が不使用の時、該切換え部品を切断状態となすことにより、電源端と電気設備との間を切断でき、残留電圧の導通を防止し、これにより切断及び安全保護の目的を達成する。
【０００５】
前述の電源プラグは、該切換え部品がプッシュスイッチ或いはスライドスイッチとされる。
【０００６】
前述の電源プラグは、該切換え部品がランプ付きスイッチとされて、導通或いは切断状態を表示できる。
【考案の効果】
【０００７】
本考案は切換え部品を異なる形態の電気プラグに設置して、電気設備を不使用の時、該切換え部品を切断状態となすことにより、電源端と電気設備との間を切断でき、残留電圧の導通を防止し、これにより切断及び安全保護の目的を達成する。
【図面の簡単な説明】
【０００８】
【図１】本考案の立体図である。
【図２】本考案の部分断面図である。
【図３】本考案の部分断面図である。
【図４】本考案の第２実施例の立体図である。
【図５】本考案の第３実施例の立体図である。
【図６】本考案の第４実施例の立体図である。
【図７】本考案の第５実施例の立体図である。
【考案を実施するための形態】
【０００９】
図１、２及び図３を参照されたい。本考案はプラグ本体１を有し、該プラグ本体１の前端に、コンセントに挿入される導電片１１が設けられ、後端に電気設備に接続される電気コード１２が設けられている。そのうち、該プラグ本体１の適宜位置に（本実施例では導電片１１の近隣位置）に、導通或いは切断を選択するための切換え部品１３が設けられ、該切換え部品１３は該プラグ本体１の表面に突出し、且つ該切換え部品１３は図示されるようなプッシュスイッチとされるか、或いはその他の異なる形式のスライドスイッチとされる。
【００１０】
ヒューズホルダ１４が切換え部品１３の後方に設置され、異なるアンペア数のヒューズ１５が該ヒューズホルダ１４に挿入された後に、回転つまみ１６で固定される。
【００１１】
前述の部品により、プラグ本体１に接続された電気コード１２に設けられた導線１２１、１２２（本実施例では二本の導線）は、導線１２１が直接そのうち一方の導電片１１に接続され、もう一方の導線１２２は先にヒューズホルダ１４に接続された後に、さらに該切換え部品１３に接続され、さらに切換え部品１３を介してもう一方の導電片１１に接続される。プラグ本体１が取り付けられた電気設備を使用しない時、該切換え部品１３を切断の状態に選択的になすことで、電源端と電気設備の線路を完全に切断でき、残留電圧の導通を防止し、これにより節電と安全保護の目的を達成できる。
【００１２】
前述のプラグ構造は、電源電圧が切換え部品３に進入する前に、ヒューズ１５を通過するため、電気設備の使用中に、オーバ−ロードが発生した時、該ヒューズ１５がアンペア数過高により溶断され、安全保護作用を形成し、且つ溶断の後に使用者は回転つまみ１６を回して開き、新しいヒューズ１５に交換できる。さらに、該切換え部品１３はランプ付きのスイッチとしてもよく、それが導通或いは切断の時に点灯して表示するようにし、識別できるようにする。
【００１３】
図４及び図５は本考案の第２及び第３実施例の立体図である。図示されるように、本考案は異なる形式のプラグに応用可能であり、例えば、図４のヨーロッパ式プラグ１ａとして、切換え部品１３とヒューズ交換可能なヒューズホルダ１４と回転つまみ１６を設け、節電と安全保護の目的を達成できる。また、図５の英国式プラグ１ｂとして、同様に適宜位置に切換え部品１３とヒューズ交換可能なヒューズホルダ１４と回転つまみ１６を設け、節電と安全保護の目的を達成できる。
【００１４】
図６及び図７は本考案の第４及び第５実施例の立体図である。図示されるように、本考案は異なる形式のプラグに応用可能であり、例えば、図６の米国式プラグ１ｃとして、切換え部品１３とヒューズ交換可能なヒューズホルダ１４と回転つまみ１６を設け、節電と安全保護の目的を達成できる。また、図７の別の米国式プラグ１ｄとして、同様に適宜位置に切換え部品１３とヒューズ交換可能なヒューズホルダ１４と回転つまみ１６を設け、節電と安全保護の目的を達成できる。
【００１５】
前述の実施例において、切換え部品１３は各種の異なる色のスイッチとすることができ、且つそれは各種のその他の形態のプラグに応用できる。ゆえに、前述の実施例は僅かに本考案の好ましい実施方式を説明するものであって、本考案の範囲を限定するものではなく、細微な修飾或いは変更であって、本考案の意義を喪失していないものは、本考案の精神範疇より逸脱しないものとする。
【符号の説明】
【００１６】
１  プラグ本体          １１  導電片        １２  電気コード
１２１  導線            １２２  導線        １３  切換え部品
１４  ヒューズホルダ    １５  ヒューズ      １６  回転つまみ
１ａ  ヨーロッパ式プラグ      １ｂ  英国式プラグ      １ｃ  米国式プラグ
１ｄ  米国式プラグ
【図１】
0003157518.tif 000003
【図２】
0003157518.tif 000004
【図３】
0003157518.tif 000005
【図４】
0003157518.tif 000006
【図５】
0003157518.tif 000007
【図６】
0003157518.tif 000008
【図７】
0003157518.tif 000009